【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
被写体を撮像して得られた撮像画像にキャラクタ画像を合成して合成画像を生成する画像処理装置であって、
撮像画像とキャラクタ画像とを記憶する記憶手段と、
前記記憶手段に記憶されている撮像画像に含まれている被写体を検出する被写体検出手段と、
前記被写体検出手段により検出された被写体が、撮像者が撮像を予定していた撮像予定被写体であるか、撮像者が撮像を予定していなかった非撮像予定被写体であるかを判別する被写体判別手段と、
前記被写体検出手段により検出された被写体の撮像画像中の位置を検出する被写体位置検出手段と、
前記被写体位置検出手段により検出された被写体の位置のうち、前記被写体判別手段により判別された撮像予定被写体または非撮像予定被写体のどちらか一方の位置に基づいて、合成しようとするキャラクタの撮像画像中の位置を決定するキャラクタ位置決定手段と、
前記記憶手段に記憶されている撮像画像の前記キャラクタ位置決定手段により決定されたキャラクタの位置に前記記憶手段に記憶されているキャラクタ画像を合成して、合成画像を生成する合成手段と、
を備える、ことを特徴とする画像処理装置。
【請求項２】
前記記憶手段は、撮像予定被写体を示す画像である撮像予定被写体画像をさらに記憶し、
前記被写体判別手段は、前記記憶手段に記憶されている撮像画像のうち前記被写体検出手段により検出された被写体を示す画像部分が、前記記憶手段に記憶されている撮像予定被写体画像と一致するか否かにより、前記被写体検出手段により検出された被写体が撮像予定被写体であるか非撮像予定被写体であるかを判別する、
ことを特徴とする請求項１に記載の画像処理装置。
【請求項３】
前記キャラクタ位置決定手段は、撮像予定被写体の位置から撮像画像の一端までの距離と、キャラクタの位置から撮像画像の他端までの距離とが一致するようにキャラクタの位置を決定する、
ことを特徴とする請求項１に記載の画像処理装置。
【請求項４】
前記キャラクタ位置決定手段は、撮像予定被写体を構成する画像部分の所定の座標軸における最も大きい座標と、キャラクタを構成する画像部分の当該所定の座標軸における最も小さい座標とが一致するようにキャラクタの位置を決定する、
ことを特徴とする請求項１に記載の画像処理装置。
【請求項５】
前記キャラクタ位置決定手段は、前記被写体検出手段により複数の撮像予定被写体が検出された場合に、当該複数の撮像予定被写体の位置に基づいて、複数の撮像予定被写体とキャラクタとが合成画像上で所定の方向に並んで配置されるようにキャラクタの位置を決定する、
ことを特徴とする請求項１に記載の画像処理装置。
【請求項６】
前記キャラクタ位置決定手段は、非撮像予定被写体の位置をキャラクタの位置に決定する、
ことを特徴とする請求項１に記載の画像処理装置。
【請求項７】
被写体は人物であり、
前記被写体検出手段により検出された被写体の視線が正面を向いているか否かを判別する視線判別手段、をさらに備え、
前記キャラクタ位置決定手段は、前記視線判別手段により視線が正面を向いていると判別された非撮像予定被写体の位置をキャラクタの位置に決定する、
ことを特徴とする請求項６に記載の画像処理装置。
【請求項８】
前記記憶手段に記憶されている撮像画像に含まれている所定の被写体特定物を検出する被写体特定物検出手段と、
前記被写体特定物検出手段により検出された被写体特定物の撮像画像中の位置を検出する被写体特定物位置検出手段と、をさらに備え、
前記被写体判別手段は、前記被写体検出手段により検出された被写体のうち、被写体の位置が前記被写体特定物検出手段により検出された被写体特定物の位置と所定の距離以下ある被写体を撮像予定被写体であると判別する、
ことを特徴とする請求項１に記載の画像処理装置。
【請求項９】
撮像画像は動画像であり、
被写体特定物は所定のパターンで点滅する発光装置であり、
前記被写体判別手段は、前記記憶手段に記憶されている撮像画像のうち時間経過とともに所定のパターンで輝度が変化する画像部分を検出することにより被写体特定物を検出する、
ことを特徴とする請求項８に記載の画像処理装置。
【請求項１０】
コンピュータを、
被写体を撮像して得られた撮像画像にキャラクタ画像を合成して合成画像を生成する画像処理装置として機能させるためのプログラムであって、
当該画像処理装置は、
撮像画像とキャラクタ画像とを記憶する記憶手段、
を備え、
前記記憶手段に記憶されている撮像画像に含まれている被写体を検出する被写体検出手段、
前記被写体検出手段により検出された被写体が、撮像者が撮像を予定していた撮像予定被写体であるか、撮像者が撮像を予定していなかった非撮像予定被写体であるかを判別する被写体判別手段、
前記被写体検出手段により検出された被写体の撮像画像中の位置を検出する被写体位置検出手段、
前記被写体位置検出手段により検出された被写体の位置のうち、前記被写体判別手段により判別された撮像予定被写体または非撮像予定被写体のどちらか一方の位置に基づいて、合成しようとするキャラクタの撮像画像中の位置を決定するキャラクタ位置決定手段、
前記記憶手段に記憶されている撮像画像の前記キャラクタ位置決定手段により決定されたキャラクタの位置に前記記憶手段に記憶されているキャラクタ画像を合成して、合成画像を生成する合成手段、
として機能させる、ことを特徴とするプログラム。
【手続補正２】
【補正対象書類名】明細書
【補正対象項目名】０００７
【補正方法】変更
【補正の内容】
【０００７】
上記目的を達成するために、本発明の第１の観点に係る画像処理装置は、
被写体を撮像して得られた撮像画像にキャラクタ画像を合成して合成画像を生成する画像処理装置であって、
撮像画像とキャラクタ画像とを記憶する記憶手段と、
前記記憶手段に記憶されている撮像画像に含まれている被写体を検出する被写体検出手段と、
前記被写体検出手段により検出された被写体が、撮像者が撮像を予定していた撮像予定被写体であるか、撮像者が撮像を予定していなかった非撮像予定被写体であるかを判別する被写体判別手段と、
前記被写体検出手段により検出された被写体の撮像画像中の位置を検出する被写体位置検出手段と、
前記被写体位置検出手段により検出された被写体の位置のうち、前記被写体判別手段により判別された撮像予定被写体または非撮像予定被写体のどちらか一方の位置に基づいて、合成しようとするキャラクタの撮像画像中の位置を決定するキャラクタ位置決定手段と、
前記記憶手段に記憶されている撮像画像の前記キャラクタ位置決定手段により決定されたキャラクタの位置に前記記憶手段に記憶されているキャラクタ画像を合成して、合成画像を生成する合成手段と、
を備える、ことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１８
【補正方法】変更
【補正の内容】
【００１８】
上記目的を達成するために、本発明のその他の観点に係るプログラムは、
コンピュータを、
被写体を撮像して得られた撮像画像にキャラクタ画像を合成して合成画像を生成する画像処理装置として機能させるためのプログラムであって、
当該画像処理装置は、
撮像画像とキャラクタ画像とを記憶する記憶手段、
を備え、
前記記憶手段に記憶されている撮像画像に含まれている被写体を検出する被写体検出手段、
前記被写体検出手段により検出された被写体が、撮像者が撮像を予定していた撮像予定被写体であるか、撮像者が撮像を予定していなかった非撮像予定被写体であるかを判別する被写体判別手段、
前記被写体検出手段により検出された被写体の撮像画像中の位置を検出する被写体位置検出手段、
前記被写体位置検出手段により検出された被写体の位置のうち、前記被写体判別手段により判別された撮像予定被写体または非撮像予定被写体のどちらか一方の位置に基づいて、合成しようとするキャラクタの撮像画像中の位置を決定するキャラクタ位置決定手段、
前記記憶手段に記憶されている撮像画像の前記キャラクタ位置決定手段により決定されたキャラクタの位置に前記記憶手段に記憶されているキャラクタ画像を合成して、合成画像を生成する合成手段、
として機能させる、ことを特徴とする。